(57)【特許請求の範囲】
【請求項１】
系統から供給を受ける電力を制御する制御装置であって、
施設に対する配送車の到着を特定する特定部と、
前記配送車の到着に応じて、前記施設に設けられた負荷が前記系統から供給を受ける電力を減少させる電力制御部とを備え、
前記電力制御部は、前記施設に設けられた負荷のうち、前記配送車の到着に消費電力が影響を受けやすい特定負荷を除いた負荷が前記系統から供給を受ける電力を減少させることを特徴とする制御装置。
【請求項２】
前記電力制御部は、蓄電池の放電によって、前記施設に設けられた負荷が前記系統から供給を受ける電力を減少させることを特徴とする請求項１に記載の制御装置。
【請求項３】
前記蓄電池は、前記施設に設けられることを特徴とする請求項２に記載の制御装置。
【請求項４】
前記蓄電池は、前記配送車に設けられることを特徴とする請求項２に記載の制御装置。
【請求項５】
前記電力制御部は、前記特定部によって前記配送車の到着予定が特定されると、前記配送車の到着前に、前記施設に設けられた燃料電池の出力を増加することによって、前記施設に設けられた負荷が前記系統から供給を受ける電力を減少させることを特徴とする請求項１乃至請求項４のいずれかに記載の制御装置。
【請求項６】
前記配送車に搭載される荷物の量又は種類に基づいて、前記配送車の到着に伴う消費電力の増大量を推定する推定部を備え、
前記電力制御部は、前記配送車の到着に伴う消費電力の増大量に基づいて、前記施設に設けられた負荷が前記系統から供給を受ける電力を減少させることを特徴とする請求項１乃至請求項５のいずれかに記載の制御装置。
【請求項７】
系統から供給を受ける電力を制御する制御方法であって、
施設に対する配送車の到着を特定するステップＡと、
前記配送車の到着に応じて、前記施設に設けられた負荷が前記系統から供給を受ける電力を減少させるステップＢとを備え、
前記ステップＢは、前記施設に設けられた負荷のうち、前記配送車の到着に消費電力が影響を受けやすい特定負荷を除いた負荷が前記系統から供給を受ける電力を減少させるステップを含むことを特徴とする制御方法。
【請求項８】
系統から供給を受ける電力を制御する制御装置であって、
施設に対する配送車の到着を特定する特定部と、
前記配送車の到着に応じて、前記施設に設けられた負荷が前記系統から供給を受ける電力を減少させる電力制御部とを備え、
前記電力制御部は、前記配送車に設けられる蓄電池の放電によって、前記施設に設けられた負荷が前記系統から供給を受ける電力を減少させることを特徴とする制御装置。
【請求項９】
系統から供給を受ける電力を制御する制御方法であって、
施設に対する配送車の到着を特定するステップＡと、
前記配送車の到着に応じて、前記施設に設けられた負荷が前記系統から供給を受ける電力を減少させるステップＢとを備え、
前記ステップＢは、前記配送車に設けられる蓄電池の放電によって、前記施設に設けられた負荷が前記系統から供給を受ける電力を減少させるステップを含むことを特徴とする制御方法。
【発明の詳細な説明】
【技術分野】
【０００１】
本発明は、系統から供給を受ける電力を制御する制御装置及び制御方法に関する。
【背景技術】
【０００２】
近年、環境配慮に対する意識が高まっており、負荷の消費電力を抑制する技術が提案されている（例えば、特許文献１）。
【０００３】
ところで、各国の電力事情に大きく左右されるが、例えば、日本においては高圧受電者の総電力料金は、基本料金及び電力量料金によって定められる。基本料金は、過去の所定期間（例えば、３０分）におけるピーク電力量に基づいて定められる。一方で、電力量料金は、計算対象期間における電力使用量に基づいて定められる。
【０００４】
一方で、電力量料金は、計算対象期間における電力使用量に基づいて定められる。従って、ピーク電力量が所定電力量を超えないように、各負荷の消費電力を制御することが好ましい。
【先行技術文献】
【特許文献】
【０００５】
【特許文献１】特開２００８−２３６９１３号公報
【発明の概要】
【発明が解決しようとする課題】
【０００６】
しかしながら、系統から供給を受ける電力量（言い換えると、負荷の総消費電力量）が急激に増大するケースが考えられる。このようなケースでは、ピーク電力量が所定電力量を超えないように、各負荷の消費電力を制御することが困難である。
【０００７】
そこで、本発明は、上述した課題を解決するためになされたものであり、負荷の総消費電力量が急激に増大する場合であっても、系統から供給を受ける電力量が所定電力量を超えないように、系統から供給を受ける電力を制御することを可能とする制御装置及び制御方法を提供することを目的とする。
【課題を解決するための手段】
【０００８】
第１の特徴に係る制御装置は、系統から供給を受ける電力を制御する。制御装置は、施設に対する配送車の到着を特定する特定部と、前記配送車の到着に応じて、前記施設に設けられた負荷が前記系統から供給を受ける電力を減少する電力制御部とを備える。
【０００９】
第１の特徴において、前記電力制御部は、蓄電池の放電によって、前記施設に設けられた負荷が前記系統から供給を受ける電力を減少する。
【００１０】
第１の特徴において、前記電力制御部は、前記施設に設けられた負荷のうち、前記配送車の到着に伴って消費電力が影響を受けやすい特定負荷を除いた負荷が前記系統から供給を受ける電力を減少する。
【００１１】
第１の特徴において、前記電力制御部は、前記施設に設けられた負荷の消費電力の減少によって、前記施設に設けられた負荷が前記系統から供給を受ける電力を減少する。
【００１２】
第１の特徴において、前記蓄電池は、前記施設に設けられる。
【００１３】
第１の特徴において、前記蓄電池は、前記配送車に設けられる。
【００１４】
第１の特徴において、制御装置は、前記配送車に搭載される荷物の量又は種類に基づいて、前記配送車の到着に伴う消費電力の増大量を推定する推定部を備える。前記電力制御部は、前記配送車の到着に伴う消費電力の増大量に基づいて、前記施設に設けられた負荷が前記系統から供給を受ける電力を減少する。
【００１５】
第２の特徴に係る制御方法は、系統から供給を受ける電力を制御する方法である。制御方法は、施設に対する配送車の到着を特定するステップと、前記配送車の到着に応じて、前記施設に設けられた負荷が前記系統から供給を受ける電力を減少するステップとを備える。
【発明の効果】
【００１６】
本発明によれば、負荷の総消費電力量が急激に増大する場合であっても、系統から供給を受ける電力量が所定電力量を超えないように、系統から供給を受ける電力を制御することを可能とする制御装置及び制御方法を提供することができる。
【図面の簡単な説明】
【００１７】
【図１】図１は、第１実施形態に係るエネルギー管理システム１００を示す図である。
【図２】図２は、第１実施形態に係る需要家１０を示す図である。
【図３】図３は、第１実施形態に係るＳＥＭＳ２００を示す図である。
【図４】図４は、第１実施形態に係る制御方法を示すフロー図である。
【図５】図５は、変更例１に係るＳＥＭＳ２００を示す図である。
【図６】図６は、変更例１に係る制御方法を示すフロー図である。
【発明を実施するための形態】
【００１８】
以下において、本発明の実施形態に係る制御装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る制御装置は、系統から供給を受ける電力を制御する。制御装置は、施設に対する配送車の到着を特定する特定部と、前記配送車の到着に応じて、前記施設に設けられた負荷が前記系統から供給を受ける電力を減少する電力制御部とを備える。
【００２１】
実施形態では、電力制御部は、配送車の到着に応じて、施設に設けられた負荷が系統から供給を受ける電力を減少する。従って、負荷の総消費電力量が急激に増大する場合であっても、系統から供給を受ける電力量（ピーク電力量）が所定電力量を超えないように、を受ける電力を制御することができる。
【００２２】
［第１実施形態］
（エネルギー管理システム）
以下において、第１実施形態に係るエネルギー管理システムについて説明する。図１は、第１実施形態に係るエネルギー管理システム１００を示す図である。
【００２３】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２４】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２５】
需要家１０は、例えば、一戸建ての住宅であってもよく、マンションなどの集合住宅であってもよく、ビルなどの商用施設であってもよく、工場であってもよい。
【００２６】
第１実施形態において、需要家１０は、配送車３００によって荷物が配送される施設である。具体的には、需要家１０は、飲食店やスーパーなどの施設であり、配送車３００の到着に伴って消費電力が影響を受けやすい特定負荷（例えば、冷蔵庫、冷凍庫）を有する。具体的には、配送車３００が到着すると、配送された商品の冷蔵庫あるいは冷凍庫への搬入のため、冷蔵庫あるいは冷凍庫の扉を比較的長い時間開放する状況が生じ、庫内温度が上昇してしまう。すなわち、配送車３００が到着すると、庫内温度を低下させるために冷却機能が動作して消費電力が増大することが多い。
【００２７】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２８】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００２９】
第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００３０】
変電所３０は、複数の需要家１０に対して、配電線３１を介して電力を供給する。具体的には、変電所３０は、発電所５０から供給される電圧を降圧する。
【００３１】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３２】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３３】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３４】
ネットワーク６０は、信号線を介して各装置に接続される。ネットワーク６０は、例えば、インターネット、広域回線網、狭域回線網、携帯電話網などである。
【００３５】
配送車３００は、需要家１０に荷物を配送する車輌である。配送車３００は、例えば、ガソリン車であってもよく、電動車輌（ＥＶ：Ｅｌｅｃｔｒｉｃ  Ｖｅｈｉｃｌｅ）であってもよい。配送車３００は、ガソリン車の場合には蓄電池をさらに搭載する。
【００３６】
（需要家）
以下において、第１実施形態に係る需要家について説明する。図２は、第１実施形態に係る需要家１０の詳細を示す図である。上述したように、需要家１０は、配送車３００によって荷物が配送される施設（例えば、飲食店やスーパーなど）である。
【００３７】
図２に示すように、需要家１０は、分電盤１１０と、負荷１２０と、ＰＶユニット１３０と、蓄電池ユニット１４０と、燃料電池ユニット１５０と、貯湯ユニット１６０と、ＳＥＭＳ２００とを有する。
【００３８】
分電盤１１０は、配電線３１（系統）に接続されている。分電盤１１０は、電力線を介して、負荷１２０、ＰＶユニット１３０、蓄電池ユニット１４０及び燃料電池ユニット１５０に接続されている。
【００３９】
負荷１２０は、電力線を介して供給される電力を消費する装置である。例えば、負荷１２０は、冷蔵庫、冷凍庫、照明、エアコンなどの装置を含む。すなわち、負荷１２０は、配送車３００の到着に伴って消費電力が影響を受けやすい特定負荷（例えば、冷蔵庫、冷凍庫）、消費電力が配送車３００の到着に影響されにくい負荷（例えば、照明、エアコン）を含む。
【００４０】
ＰＶユニット１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００４１】
第１実施形態において、ＰＶユニット１３０は、ＰＶ１３１に照射される日射量を測定する日射計を有していてもよい。
【００４２】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００４３】
蓄電池ユニット１４０は、蓄電池１４１と、ＰＣＳ１４２とを有する。蓄電池１４１は、電力を蓄積する装置である。ＰＣＳ１４２は、配電線３１（系統）から供給されるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４４】
燃料電池ユニット１５０は、燃料電池１５１と、ＰＣＳ１５２とを有する。燃料電池１５１は、発電装置の一例であり、燃料ガスを利用して電力を出力する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４５】
燃料電池ユニット１５０は、負荷追従制御によって動作する。詳細には、燃料電池ユニット１５０は、燃料電池１５１から出力される電力が負荷追従制御の目標電力となるように燃料電池１５１を制御する。
【００４６】
貯湯ユニット１６０は、電力を熱に変換して、熱を蓄積したり、燃料電池ユニット１５０等のコージェネレーション機器が発生する熱を湯として蓄えたりする蓄熱装置の一例である。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００４７】
ＳＥＭＳ２００は、ＰＶユニット１３０、蓄電池ユニット１４０、燃料電池ユニット１５０及び貯湯ユニット１６０を制御する装置（Ｓｔｏｒｅ  Ｅｎｅｒｇｙ  Ｍａｎａｇｅｍｅｎｔ  Ｓｙｓｔｅｍ）である。具体的には、ＳＥＭＳ２００は、ＰＶユニット１３０、蓄電池ユニット１４０、燃料電池ユニット１５０及び貯湯ユニット１６０に信号線を介して接続されており、ＰＶユニット１３０、蓄電池ユニット１４０、燃料電池ユニット１５０及び貯湯ユニット１６０を制御する。また、ＳＥＭＳ２００は、負荷１２０の動作モードを制御することによって、負荷１２０の消費電力を制御する。
【００４８】
また、ＳＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００４９】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力の予め定められた標準的なモデル値であってもよい。
【００５０】
或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００５１】
詳細には、図３に示すように、ＳＥＭＳ２００は、受信部２１０と、送信部２２０と、特定部２３０と、接続部２４０と、制御部２５０とを有する。
【００５２】
受信部２１０は、信号線を介して接続された装置から各種信号を受信する。例えば、受信部２１０は、ＰＶ１３１の発電量を示す情報をＰＶユニット１３０から受信する。受信部２１０は、蓄電池１４１の蓄電量を示す情報を蓄電池ユニット１４０から受信する。受信部２１０は、燃料電池１５１の発電量を示す情報を燃料電池ユニット１５０から受信する。受信部２１０は、貯湯ユニット１６０の貯湯量を示す情報を貯湯ユニット１６０から受信する。
【００５３】
第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＳＥＭＳ２００に記憶されていてもよい。
【００５４】
送信部２２０は、信号線を介して接続された装置に各種信号を送信する。例えば、送信部２２０は、ＰＶユニット１３０、蓄電池ユニット１４０、燃料電池ユニット１５０及び貯湯ユニット１６０を制御するための信号を各装置に送信する。送信部２２０は、負荷１２０を制御するための制御信号を負荷１２０に送信する。
【００５５】
特定部２３０は、需要家１０に対する配送車３００の到着を特定する。具体的には、特定部２３０は、需要家１０に設けられたセンサによって配送車３００が検出された場合に、配送車３００の到着を特定してよい。或いは、特定部２３０は、配送車３００の配送スケジュールを記憶しており、配送スケジュールに基づいて配送車３００の到着時刻を特定（推定）してよい。或いは、特定部２３０は、配送車３００の配送ルートの交通事情を取得する機能を有しており、取得された交通事情に基づいて、配送車３００の到着時刻を特定（推定）してもよい。或いは、特定部２３０は、配送車３００の位置情報を取得する機能を有しており、取得された位置情報に基づいて、配送車３００の到着時刻を特定（推定）してもよい。
【００５６】
接続部２４０は、配送車３００に接続された蓄電池に接続するためのインタフェースである。具体的には、第１に、接続部２４０は、蓄電池の充放電を制御するための信号を送信し、蓄電池の充電量を取得するための信号を受信するインタフェースである。第２に、接続部２４０は、配送車３００に接続された蓄電池から電力の供給を受けるためのインタフェースである。接続部２４０は、需要家１０に設けられていればよく、ＳＥＭＳ２００内に設けられていなくてもよい。
【００５７】
制御部２５０は、負荷１２０、ＰＶユニット１３０、蓄電池ユニット１４０、燃料電池ユニット１５０及び貯湯ユニット１６０を制御する。
【００５８】
制御部２５０は、配送車３００の到着に応じて、需要家１０に設けられた負荷１２０が系統から供給を受ける電力を減少する。制御部２５０は、需要家１０に設けられた負荷１２０のうち、配送車３００の到着に伴って消費電力が影響を受けやすい特定負荷（例えば、冷蔵庫、冷凍庫）を除いた負荷（例えば、照明、エアコン）が系統から供給を受ける電力を減少することが好ましい。
【００５９】
このようなケースにおいて、制御部２５０は、需要家１０に設けられた負荷１２０の消費電力の減少によって、需要家１０に設けられた負荷１２０が系統から供給を受ける電力を減少してもよい。
【００６０】
或いは、制御部２５０は、需要家１０に設けられた蓄電池ユニット１４０の放電によって、需要家１０に設けられた負荷１２０が系統から供給を受ける電力を減少してもよい。
【００６１】
或いは、制御部２５０は、配送車３００に設けられた蓄電池の放電によって、需要家１０に設けられた負荷１２０が系統から供給を受ける電力を減少してもよい。ここで、配送車３００は、電動車両であってもよい。配送車３００は、ガソリン車であり、蓄電池を搭載していてもよい。
【００６２】
或いは、制御部２５０は、燃料電池１５１の負荷追従制御の目標電力を配送車３００の到着前に引き上げて、燃料電池ユニット１５０の出力電力を増大することによって、需要家１０に設けられた負荷１２０が系統から供給を受ける電力を減少してもよい。
【００６３】
（制御方法）
以下において、第１実施形態に係る制御方法について説明する。図４は、第１実施形態に係る制御方法を示すフロー図である。
【００６４】
図４に示すように、ステップ１０において、ＳＥＭＳ２００は、需要家１０に対する配送車３００の到着を特定する。上述したように、ＳＥＭＳ２００は、需要家１０に設けられてセンサを用いて、配送車３００の到着を特定してよい。或いは、ＳＥＭＳ２００は、配送スケジュール、配送ルートの交通事情、配送車３００の位置情報に基づいて、配送車３００の到着時刻を特定（推定）してもよい。
【００６５】
ステップ２０において、ＳＥＭＳ２００は、需要家１０に設けられた負荷１２０が系統から供給を受ける電力を減少する。具体的には、需要家１０に設けられた蓄電池ユニット１４０の放電、配送車３００に設けられた蓄電池の放電によって、負荷１２０が系統から供給を受ける電力を減少する。或いは、需要家１０に設けられた負荷１２０のうち、配送車３００の到着に伴って消費電力が影響を受けにくい負荷（例えば、照明、エアコン）の消費電力の減少によって、需要家１０に設けられた負荷１２０が系統から供給を受ける電力を減少してもよい。
【００６６】
以上説明したように、第１実施形態では、ＳＥＭＳ２００は、配送車３００の到着に応じて、需要家１０に設けられた負荷１２０が系統から供給を受ける電力を減少する。従って、負荷１２０の総消費電力量が急激に増大する場合であっても、所定期間（例えば、３０分）において系統から供給を受ける電力量（ピーク電力量）が所定電力量を超えないように、系統から供給を受ける電力を制御することができる。
【００６７】
［変更例１］
以下において、第１実施形態の変更例１について説明する。以下においては、第１実施形態に対する相違点について主として説明する。具体的には、変更例１では、ＳＥＭＳ２００は、配送車３００に搭載される荷物の量又は種類に基づいて、系統から供給を受ける電力を減少する。
【００６８】
（ＳＥＭＳ）
以下において、変更例１に係るＳＥＭＳについて説明する。図５は、変更例１に係るＳＥＭＳ２００を示す図である。
【００６９】
図５に示すように、ＳＥＭＳ２００は、図３に示す構成に加えて、推定部２６０を有する。推定部２６０は、配送車３００に搭載される荷物の量及び種類に基づいて、配送車３００の到着に伴う消費電力の増大量を推定する。具体的には、第1に、推定部２６０は、発注情報に基づいて荷物の量及び種類を特定する。第２に、推定部２６０は、荷物の種類に基づいて、配送車３００の到着に伴って消費電力が影響を受けやすい特定負荷を特定する。推定部２６０は、荷物の量に基づいて、特定された負荷の消費電力の増大量を推定する。
【００７０】
但し、消費電力の増大量の推定精度が落ちるが、推定部２６０は、荷物の量及び種類のいずれか一方に基づいて、配送車３００の到着に伴う消費電力の増大量を推定してもよい。
【００７１】
変更例１において、上述した制御部２５０は、配送車３００の到着に伴う消費電力の増大量に基づいて、需要家１０に設けられた負荷１２０が系統から供給を受ける電力を減少する。具体的には、制御部２５０は、消費電力の増大量に基づいて、系統から供給を受ける電力の減少量を決定する。
【００７２】
（制御方法）
以下において、第１実施形態に係る制御方法について説明する。図６は、第１実施形態に係る制御方法を示すフロー図である。
【００７３】
図６に示すように、ステップ１１０において、ＳＥＭＳ２００は、需要家１０に対する配送車３００の到着を特定する。上述したように、ＳＥＭＳ２００は、需要家１０に設けられたセンサを用いて、配送車３００の到着を特定してよい。或いは、ＳＥＭＳ２００は、配送スケジュール、配送ルートの交通事情、配送車３００の位置情報に基づいて、配送車３００の到着時刻を特定（推定）してもよい。
【００７４】
ステップ１２０において、ＳＥＭＳ２００は、配送車３００に搭載される荷物の量及び種類に基づいて、配送車３００の到着に伴う消費電力の増大量を推定する。
【００７５】
ステップ１３０において、ＳＥＭＳ２００は、配送車３００の到着に伴う消費電力の増大量に基づいて、需要家１０に設けられた負荷１２０が系統から供給を受ける電力を減少する。具体的には、需要家１０に設けられた蓄電池ユニット１４０の放電、配送車３００に設けられた蓄電池の放電によって、負荷１２０が系統から供給を受ける電力を減少する。或いは、需要家１０に設けられた負荷１２０のうち、配送車３００の到着に伴って消費電力が影響を受けにくい負荷（例えば、照明、エアコン）の消費電力の減少によって、需要家１０に設けられた負荷１２０が系統から供給を受ける電力を減少してもよい。
【００７６】
また、ＳＥＭＳ２００が、配送スケジュール、配送ルートの交通事情、配送車３００の位置情報に基づいて、配送車３００の到着時刻の特定（推定）を、事前に出来る場合には、予め燃料電池の出力を上昇させて発電量を増加させておくことにより系統から受ける電力量を減少させてもよい。
【００７７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７８】
実施形態において、制御装置がＳＥＭＳ２００に設けられるケースを例示した。しかしながら、実施形態は、これに限定されるものではない。制御装置は、ＣＥＭＳ２０に設けられていてもよく、スマートサーバ４０に設けられていてもよい。或いは、制御装置は、ＨＥＭＳ（Ｈｏｍｅ  Ｅｎｅｒｇｙ  Ｍａｎａｇｅｍｅｎｔ  Ｓｙｓｔｅｍ）に設けられていてもよく、ＢＥＭＳ（Ｂｕｉｌｄｉｎｇ  Ｅｎｅｒｇｙ  Ｍａｎａｇｅｍｅｎｔ  Ｓｙｓｔｅｍ）に設けられていてもよく、ＦＥＭＳ（Ｆａｃｔｏｒｙ  Ｅｎｅｒｇｙ  Ｍａｎａｇｅｍｅｎｔ  Ｓｙｓｔｅｍ）に設けられていてもよい。
【００７９】
実施形態では、需要家１０は、負荷１２０、ＰＶユニット１３０、蓄電池ユニット１４０、燃料電池ユニット１５０及び貯湯ユニット１６０を有する。しかしながら、需要家１０は、少なくとも、負荷１２０を有していればよい。
【００８０】
実施形態では特に触れていないが、ＳＥＭＳ２００は、配送車３００の到着時刻においてＰＶユニット１３０から出力される電力量に基づいて、需要家１０に設けられた負荷１２０が系統から供給を受ける電力を減少する量を決定してもよい。
【００８１】
実施形態では特に触れていないが、実施形態の動作は、以下に示す電力料金体系で適用することが好ましい。具体的には、総電力料金は、基本料金及び電力量料金という２つの体系によって定められる。ここで、その算出プロセス概要について説明する。
【００８２】
特に、基本料金は、過去の所定期間（例えば、３０分）における電力量に基づいて定められる。すなわち、分電盤１１０に接続された最大需要電力計（デマンド計）により、３０分間の電力量（使用電力量）を計測する。そして当該３０分間における平均使用電力（kW）を算出する。この平均使用電力が３０分デマンド値と呼ばれる。そして、1ヶ月の中で最大の３０分デマンド値を、その月の最大需要電力（最大デマンド値）と呼ぶ。そして、その月の最大デマンド値、あるいは過去１年の間における最大デマンド値の中で最も大きい値が基本料金の計算に使用されることとなる。つまり、１ヶ月あるいは１年間のうち、一度でも大きなデマンド値が生じると、翌月あるいは翌１年間にわたり、そのデマンド値を用いた基本料金が適用されることとなる。このようにして基本料金は定められるため、例えば配送車が３０分のデマンド計測期間に複数到着したりした場合には、その期間においての消費電力量が突発的に大きくなり、翌月あるいは翌年の基本料金の増加、などという事態に陥りかねない。
【００８３】
このような電力料金体系において、上述した実施形態によれば、需要家での蓄電池放電、燃料電池出力増加、配送車に関係しない負荷の消費電力量削減、配送車自体からの電力供給といった制御を行うことによって、系統からの電力供給量をむしろ抑えるように機能する。これにより、たとえば配送車が３０分の同じ枠内に複数到着したとしても、デマンド値が影響を受けにくくなり、基本料金の増大などという事態に陥らなくて済むようになる。
【符号の説明】
【００８４】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＳＥＭＳ、２１０…受信部、２２０…送信部、２３０…特定部、２４０…接続部、２５０…制御部、２６０…推定部、３００…配送車
【図１】
0005844214.tif 000002
【図２】
0005844214.tif 000003
【図３】
0005844214.tif 000004
【図４】
0005844214.tif 000005
【図５】
0005844214.tif 000006
【図６】
0005844214.tif 000007